【手続補正書】
【提出日】平成27年7月6日(2015.7.6)
【手続補正１】
【補正対象書類名】特許請求の範囲
【補正対象項目名】全文
【補正方法】変更
【補正の内容】
【特許請求の範囲】
【請求項１】
ゴルフクラブヘッドとゴルフクラブシャフトのためのゴルフ連結機構であって、
ゴルフ連結機構は、
ゴルフクラブシャフトの一端に連結するように構成されるシャフトスリーブを備え、
シャフトスリーブは、
ゴルフクラブシャフトの端部を受け入れるように構成されるシャフト穴と、
シャフトスリーブのスリーブ上端部からスリーブ底端部まで、シャフトスリーブの長手方向中心線に沿って伸びるスリーブ軸と、
スリーブ軸を中心軸として心出しされたスリーブ外壁と、
スリーブ外壁から突出する第１の連結部と、
スリーブ外壁から突出する第２の連結部と、を備え、
第１の連結部は、第１の連結部全体にわたって湾曲した第１の弓形面を備え、
第２の連結部は、第２の連結部全体にわたって湾曲した第２の弓形面を備え、
第１及び第２の弓形面は、ゴルフクラブヘッドに対するシャフトスリーブの回転を制限するように構成される、ゴルフ連結機構。
【請求項２】
シャフトスリーブを受け入れるように構成されるゴルフクラブヘッドのシャフト受け部を、さらに備え、
シャフトスリーブは、
少なくともスリーブ外壁と第１の連結部と第２の連結部との一部を備え、シャフト受け部に挿入されるように構成されるスリーブ挿入部分と、
シャフト受け部は、
スリーブ挿入部分がシャフト受け部内にある場合に、スリーブ挿入部分の一部であるスリーブ外壁の少なくとも一部と接するように構成される受け部内壁と、
受け部内壁に凹設される第３の連結部と、
受け部内壁に凹設される第４の連結部と、を備え、
第３の連結部は、第１の連結部の第１の弓形面の少なくとも一部に対して相補的な第３の弓形面を備え、
第４の連結部は、第２の連結部の第２の弓形面の少なくとも一部に対して相補的な第４の弓形面を備える、請求項１に記載のゴルフ連結機構。
【請求項３】
シャフトスリーブの第１の連結部が、シャフト受け部の第３の連結部に連結され、シャフトスリーブの第２の連結部が、シャフト受け部の第４の連結部に連結される第１の構成を、さらに備え、
第１の構成では、
第１の連結部の第１の弓状面の大部分は、第１の接触領域にわたって、第３の連結部の第３の弓状面の大部分に嵌っており、
第２の連結部の第２の弓状面の大部分は、第２の接触領域にわたって、第４の連結部の第４の弓状面の大部分に嵌っている、請求項２に記載のゴルフ連結機構。
【請求項４】
シャフトスリーブの第１の連結部が、シャフト受け部の第４の連結部に連結され、シャフトスリーブの第２の連結部が、シャフト受け部の第３の連結部に連結される第２の構成を、さらに備え、
第２の構成では、
第１の連結部の第１の弓状面の大部分は、第１の接触領域にわたって、第３の連結部の第３の弓状面の大部分に嵌っており、
第２の連結部の第２の弓状面の大部分は、第２の接触領域にわたって、第４の連結部の第４の弓状面の大部分に嵌っており、
第１の構成は、
シャフト穴とシャフト受け部との間の第１のライ角と、
シャフト穴とシャフト受け部との間の第１のロフト角と、の少なくとも一方を備え、
第２の構成は、
第１の構成が第１のライ角を備える場合のシャフト穴とシャフト受け部との間の第２のライ角と、
第１の構成が第１のロフト角を備える場合のシャフト穴とシャフト受け部との間の第２のロフト角と、の少なくとも一方を備える、請求項３に記載のゴルフ連結機構。
【請求項５】
第３の構成と、
第４の構成と、をさらに備え、
シャフトスリーブは、
スリーブ外壁から突出する第５の連結部であって、第５の連結部全体にわたって湾曲した第５の弓状面を備える第５の連結部と、
スリーブ外壁から突出する第６の連結部であって、第６の連結部全体にわたって湾曲した第６の弓状面を備える第６の連結部と、をさらに備え、
シャフト受け部は、
受け部内壁に凹設されており、第７の弓状面を備える第７の連結部と、
受け部内壁に凹設されており、第８の弓状面を備える第８の連結部と、をさらに備え、
第１の構成は、シャフトスリーブの第５の連結部が、シャフト受け部の第７の連結部に連結され、シャフトスリーブの第６の連結部が、シャフト受け部の第８の連結部に連結されることによって、第１のライ角と第１のロフト角とを備え、
第２の構成は、シャフトスリーブの第５の連結部が、シャフト受け部の第８の連結部に連結されることによって、シャフトスリーブの第６の連結部が、シャフト受け部の第７の連結部に連結されて、第２のライ角と第２のロフト角とを備え、
第３の構成は、シャフトスリーブの第１の連結部が、シャフト受け部の第８の連結部に連結され、シャフトスリーブの第２の連結部が、シャフト受け部の第７の連結部に連結され、シャフトスリーブの第５の連結部が、シャフト受け部の第３の連結部に連結され、シャフトスリーブの第６の連結部が、シャフト受け部の第４の連結部に連結されることによって、第３のライ角と第３のロフト角とを備え、
第４の構成は、シャフトスリーブの第１の連結部が、シャフト受け部の第７の連結部に連結され、シャフトスリーブの第２の連結部が、シャフト受け部の第８の連結部に連結され、シャフトスリーブの第５の連結部が、シャフト受け部の第４の連結部に連結され、シャフトスリーブの第６の連結部が、シャフト受け部の第３の連結部に連結されることによって、第４のライ角と第４のロフト角とを備える、請求項４に記載のゴルフ連結機構。
【請求項６】
第１のライ角は、第２のライ角に対して、小さいライ角を有し、
第１のロフト角は、第３及び第４のロフト角に対して、第１の中間ロフト角を有し、
第２のライ角は、第１のライ角に対して、大きいライ角を有し、
第２のロフト角は、第３及び第４のロフト角に対して、第２の中間ロフト角を有し、
第３のライ角は、第１及び第２のライ角に対して、第１の中間ライ角を有し、
第３のロフト角は、第４のロフト角に対して、小さいロフト角を有し、
第４のライ角は、第１及び第２のライ角に対して、第２の中間ライ角を有し、
第４のロフト角は、第３のロフト角に対して、大きいロフト角を有する、請求項５に記載のゴルフ連結機構。
【請求項７】
第１及び第２のロフト角は、互いに略等しく、
第３及び第４のライ角は、互いに略等しい、請求項５又は６に記載のゴルフ連結機構。
【請求項８】
第１のライ角は、第３のライ角よりも約０．２°〜４°小さく、
第２のライ角は、第４のライ角よりも約０．２°〜４°大きく、
第３のロフト角は、第１のロフト角よりも約０．２°〜４°小さく、
第４のロフト角は、第２のロフト角よりも約０．２°〜４°大きい、請求項５から７のいずれか一項に記載のゴルフ連結機構。
【請求項９】
互いに嵌った場合に、第１の弓状面の大部分と、第３の弓状面の大部分とは、第１の接触領域にわたって、反対方向の法線力を互いに作用し、
互いに嵌った場合に、第２の弓状面の大部分と、第４の弓状面の大部分とは、第２の接触領域にわたって、反対方向の法線力を互いに作用する、請求項３から８のいずれか一項に記載のゴルフ連結機構。
【請求項１０】
第１及び第２の連結部は、スリーブ外壁の上部からスリーブ上端部に向かって突出しており、
第３及び第４の連結部は、受け部内壁の上部に凹設されている、請求項２から９のいずれか一項に記載のゴルフ連結機構。
【請求項１１】
第１の連結部の第１の弓状面は、
第１の水平方向曲率半径と、
スリーブ底端部に向かって厚みが減少する第１の垂直方向テーパと、を有し、
第２の連結部の第２の弓状面は、
第２の水平方向曲率半径と、
スリーブ底端部に向かって厚みが減少する第２の垂直方向テーパと、を有し、
第３の連結部の第３の弓状面は、
第１の水平方向曲率半径に対して相補的な第３の水平方向曲率半径と、
第１の垂直方向テーパに対して相補的な第３の垂直方向テーパと、を有し、
第４の連結部の第４の弓状面は、
第２の水平方向曲率半径に対して相補的な第４の水平方向曲率半径と、
第２の垂直方向テーパに対して相補的な第４の垂直方向テーパと、を有する、請求項２から１０のいずれか一項に記載のゴルフ連結機構。
【請求項１２】
第１の垂直方向テーパは、第１の垂直方向曲率半径を有し、
第２の垂直方向テーパは、第２の垂直方向曲率半径を有し、
第３の垂直方向テーパは、第１の垂直方向曲率半径に対して相補的な第３の垂直方向曲率半径を有し、
第４の垂直方向テーパは、第２の垂直方向曲率半径に対して相補的な第４の垂直方向曲率半径を有し、
第１、第２、第３及び第４の水平方向曲率半径のそれぞれは、約２．５ｍｍ〜約５．７ｍｍであり、
第１、第２、第３及び第４の垂直方向曲率半径のそれぞれは、約１０．１ｍｍ〜約５０．８ｍｍである、請求項１１に記載のゴルフ連結機構。
【請求項１３】
第１、第２、第３及び第４の垂直方向テーパは、実質的に直線状である、請求項１１に記載のゴルフ連結機構。
【請求項１４】
シャフトスリーブが、シャフト受け部に固定されており、第１の連結部が第３の連結部に嵌っており、第２の連結部が第４の連結部に嵌っている場合に、
第１の連結部の全表面の大部分は、シャフトスリーブがシャフト受け部に対して回転することを妨げるように構成されており、
第２の連結部の全表面の大部分は、シャフトスリーブがシャフト受け部に対して回転することを妨げるように構成されている、請求項２から１３のいずれか一項に記載のゴルフ連結機構。
【請求項１５】
シャフトスリーブにシャフト受け部を固定するように構成されている固定留め具を、さらに備え、
固定留め具は、第１の弓状面を第３の弓状面に嵌め、第２の弓状面を第４の弓状面に嵌めるために、シャフト受け部の受け部底端部に向かって、シャフトスリーブを引き寄せるように構成される、請求項２から１４のいずれか一項に記載のゴルフ連結機構。
【請求項１６】
シャフトスリーブから外れる場合に、シャフト受け部から固定留め具が離脱することを抑制するように構成される保持要素を、さらに備え、
保持要素は、
シャフトレシーバ内に位置しており、固定留め具の１つ以上のねじに自在に係合されるワッシャと、
保持要素がシャフト受け部を貫通するねじ穴と、の少なくとも一方を備える、請求項１５に記載のゴルフ連結機構。
【請求項１７】
シャフトスリーブは、
スリーブ挿入部分が、シャフト受け部内にある場合、スリーブ上端部に位置し、シャフト受け部の外部に位置するスリーブ上部部分を、さらに備え、
シャフトスリーブが、シャフト受け部に固定される場合に、スリーブ上部部分の底端部は、第１及び第２の連結部によってシャフト受け部の上端部から離間する、請求項２から１６のいずれか一項に記載のゴルフ連結機構。
【請求項１８】
第１及び第２の弓状面は、屈曲点を有していない、請求項１から１７のいずれか一項に記載のゴルフ連結機構。
【請求項１９】
第１の連結部の第１の全面の任意の点に対する接線方向の任意の水平線は、第１の連結部の第１の全面の他の点に対する接線方向ではない、請求項１から１８のいずれか一項に記載のゴルフ連結機構。
【請求項２０】
第１の連結部の全面は、全体にわたって、及び全ての方向に湾曲している、請求項１から１９のいずれか一項に記載のゴルフ連結機構。
【請求項２１】
第１の連結部の全面は、第１の連結部の全表面領域の境界を示す第１の連結周縁部内の任意の一部に関してエッジがない、請求項１から２０のいずれか一項に記載のゴルフ連結機構。
【請求項２２】
第１の弓状面は、第１の放物面と第１の双曲面との少なくとも一方の一部を備える第１の二次曲面を備え、
第２の弓状面は、第２の放物面と第２の双曲面との少なくとも一方の一部を備える第２の二次曲面を備える、請求項１から２１のいずれか一項に記載のゴルフ連結機構。
【請求項２３】
第１の二次曲面は、第１の円錐面の一部を備え、
第２の二次曲面は、第２の円錐面の一部を備える、請求項２２に記載のゴルフ連結機構。
【請求項２４】
シャフト穴は、スリーブ軸と非同軸である、請求項１から２３のいずれか一項に記載のゴルフ連結機構。
【請求項２５】
ゴルフ連結機構を提供する方法であって、
ゴルフクラブシャフトの一端に連結するように構成されるシャフトスリーブを提供する工程を備え、
シャフトスリーブを提供する工程は、
シャフトスリーブのスリーブ上端部からスリーブ底端部まで、ゴルフクラブシャフトの長手方向中心線に沿って伸びるスリーブ軸を提供する工程と、
スリーブ軸を中心軸として心出しされたスリーブ外壁を提供する工程と、
スリーブ外壁から突出する第１の連結部を提供する工程と、
スリーブ外壁から突出する第２の連結部を提供する工程と、を備え、
第１の連結部を提供する工程は、
第１の連結部全体にわたって湾曲した第１の弓形面を提供する工程を備え、
第２の連結部を提供する工程は、
第２の連結部全体にわたって湾曲した第２の弓形面を提供する工程を備え、
第１及び第２の弓状面は、ゴルフクラブヘッドに対するシャフトスリーブの回転を制限するように構成される、方法。
【請求項２６】
シャフトスリーブを受け入れるように構成されるゴルフクラブヘッドのシャフト受け部を提供する工程を、さらに備え、
シャフトスリーブを提供する工程は、
少なくともスリーブ外壁と第１の連結部と第２の連結部との一部を備え、シャフト受け部に挿入されるように構成されるスリーブ挿入部分を提供する工程と、
シャフト受け部を提供する工程は、
スリーブ挿入部分がシャフト受け部内にある場合に、スリーブ外壁と接するように構成される受け部内壁を提供する工程と、
受け部内壁に凹設される第３の連結部を提供する工程と、
受け部内壁に凹設される第４の連結部を提供する工程と、を備え、
第３の連結部を提供する工程は、
第１の連結部の第１の弓形面の少なくとも一部に対して相補的な第３の弓形面を提供する工程を備え、
第４の連結部を提供する工程は、
第２の連結部の第２の弓形面の少なくとも一部に対して相補的な第４の弓形面を提供する工程を備える、請求項２５に記載の方法。
【手続補正２】
【補正対象書類名】明細書
【補正対象項目名】００７７
【補正方法】変更
【補正の内容】
【００７７】
さらに、本明細書で開示した実施形態及び限定は、実施形態及び／又は限定が、（１）請求項に明示されていない、かつ（２）均等論に基づいた、請求項内の明示的要素及び／又は限定の均等物であるか、又は潜在的な均等物である場合、供与の原則（ｄｏｃｔｒｉｎｅ  ｏｆ  ｄｅｄｉｃａｔｉｏｎ）に基づいて一般に供与されることはない。
以下に、本実施例の特徴を列挙する。
（特徴１）
ゴルフクラブヘッドと、
ゴルフクラブシャフトと、
ゴルフクラブヘッドとゴルフクラブシャフトとを互いに連結するためのゴルフ連結機構と、を備えるゴルフクラブであって、
ゴルフ連結機構は、ゴルフクラブシャフトの一端に連結するように構成されるシャフトスリーブを備え、
ゴルフクラブヘッドは、シャフトスリーブを受け入れるように構成されるシャフト受け部を備え、
シャフトスリーブは、
シャフトスリーブのスリーブ上端部からスリーブ底端部まで、シャフトスリーブの長手方向中心線に沿って伸びるスリーブ軸と、
スリーブ軸と非同軸であり、ゴルフクラブシャフトの端部を受け入れるように構成されるシャフト穴と、
スリーブ軸を中心軸として心出しされたスリーブ外壁と、
スリーブ外壁から突出する第１の連結部と、
スリーブ外壁から突出する第２の連結部と、
少なくともスリーブ外壁と第１の連結部と第２の連結部との一部を備え、シャフト受け部に挿入されるように構成されるスリーブ挿入部分と、
シャフト受け部は、
スリーブ挿入部分がシャフト受け部内にある場合に、スリーブ挿入部分の一部であるスリーブ外壁の少なくとも一部と接するように構成される受け部内壁と、
受け部内壁に凹設される第３の連結部と、
受け部内壁に凹設される第４の連結部と、を備え、
第１の連結部は、第１の弓形面を備え、第１の弓形面は、
少なくとも約１０．１ｍｍの第１の垂直方向曲率半径と、
約２．５ｍｍ〜約５．７ｍｍの第１の水平方向曲率半径と、を有し、
第２の連結部は、第２の弓形面を備え、第２の弓形面は、
少なくとも約１０．１ｍｍの第２の垂直方向曲率半径と、
約２．５ｍｍ〜約５．７ｍｍの第２の水平方向曲率半径と、を有し、
第３の連結部は、第１の連結部の第１の弓形面の少なくとも一部に対して相補的な第３の弓形面を備え、
第３の弓形面は、
少なくとも約１０．１ｍｍの第３の垂直方向曲率半径と、
約２．５ｍｍ〜約５．７ｍｍの第３の水平方向曲率半径と、を有し、
第４の連結部は、第２の連結部の第２の弓形面の少なくとも一部に対して相補的な第４の弓形面を備え、
第４の弓形面は、
少なくとも約１０．１ｍｍの第４の垂直方向曲率半径と、
約２．５ｍｍ〜約５．７ｍｍの第４の水平方向曲率半径と、を有し、
第１、第２、第３、及び第４の弓形面は、ゴルフクラブヘッドに対するシャフトスリーブの回転を制限するように構成する、ゴルフクラブ。
（特徴２）
第１の連結部が第３の連結部に連結され、第２の連結部が第４の連結部に連結される場合に、ゴルフクラブのロフト角とライ角との少なくとも一方は、スリーブ軸に対して、約０．２°から約４°増加され、
第１の連結部が第４の連結部に連結され、第２の連結部が第３の連結部に連結される場合に、ゴルフクラブのロフト角とライ角との少なくとも一方は、スリーブ軸に対して、約０．２°から約４°減少され、
第１の連結部の全表面領域は、第１の連結部の全表面領域の境界を示す第１の連結周縁部内の任意の一部に関してエッジがなく、
第２の連結部の全表面領域は、第２の連結部の全表面領域の境界を示す第２の連結周縁部内の任意の一部に関してエッジがなく、
第１の弓形面は、第１の放物面と第１の双曲面の少なくとも一方の一部を備える第１の二次曲面を備え、
第２の弓形面は、第２の放物面と第２の双曲面の少なくとも一方の一部を備える第２の二次曲面を備える、特徴１に記載のゴルフクラブ。
（特徴３）
ゴルフクラブヘッドとゴルフクラブシャフトのためのゴルフ連結機構であって、
ゴルフ連結機構は、
ゴルフクラブシャフトの一端に連結するように構成されるシャフトスリーブを備え、
シャフトスリーブは、
ゴルフクラブシャフトの端部を受け入れるように構成されるシャフト穴と、
シャフトスリーブのスリーブ上端部からスリーブ底端部まで、シャフトスリーブの長手方向中心線に沿って伸びるスリーブ軸と、
スリーブ軸を中心軸として心出しされたスリーブ外壁と、
スリーブ外壁から突出する第１の連結部と、
スリーブ外壁から突出する第２の連結部と、を備え、
第１の連結部は、第１の連結部全体にわたって湾曲した第１の弓形面を備え、
第２の連結部は、第２の連結部全体にわたって湾曲した第２の弓形面を備え、
第１及び第２の弓形面は、ゴルフクラブヘッドに対するシャフトスリーブの回転を制限するように構成される、ゴルフ連結機構。
（特徴４）
シャフトスリーブを受け入れるように構成されるゴルフクラブヘッドのシャフト受け部を、さらに備え、
シャフトスリーブは、
少なくともスリーブ外壁と第１の連結部と第２の連結部との一部を備え、シャフト受け部に挿入されるように構成されるスリーブ挿入部分と、
シャフト受け部は、
スリーブ挿入部分がシャフト受け部内にある場合に、スリーブ挿入部分の一部であるスリーブ外壁の少なくとも一部と接するように構成される受け部内壁と、
受け部内壁に凹設される第３の連結部と、
受け部内壁に凹設される第４の連結部と、を備え、
第３の連結部は、第１の連結部の第１の弓形面の少なくとも一部に対して相補的な第３の弓形面を備え、
第４の連結部は、第２の連結部の第２の弓形面の少なくとも一部に対して相補的な第４の弓形面を備える、特徴３に記載のゴルフ連結機構。
（特徴５）
シャフトスリーブの第１の連結部が、シャフト受け部の第３の連結部に連結され、シャフトスリーブの第２の連結部が、シャフト受け部の第４の連結部に連結される第１の構成を、さらに備え、
第１の構成では、
第１の連結部の第１の弓状面の大部分は、第１の接触領域にわたって、第３の連結部の第３の弓状面の大部分に嵌っており、
第２の連結部の第２の弓状面の大部分は、第２の接触領域にわたって、第４の連結部の第４の弓状面の大部分に嵌っている、特徴４に記載のゴルフ連結機構。
（特徴６）
シャフトスリーブの第１の連結部が、シャフト受け部の第４の連結部に連結され、シャフトスリーブの第２の連結部が、シャフト受け部の第３の連結部に連結される第１の構成を、さらに備え、
第２の構成では、
第１の連結部の第１の弓状面の大部分は、第１の接触領域にわたって、第３の連結部の第３の弓状面の大部分に嵌っており、
第２の連結部の第２の弓状面の大部分は、第２の接触領域にわたって、第４の連結部の第４の弓状面の大部分に嵌っており、
第１の構成は、
シャフト穴とシャフト受け部との間の第１のライ角と、
シャフト穴とシャフト受け部との間の第１のロフト角と、の少なくとも一方を備え、
第２の構成は、
第１の構成が第１のライ角を備える場合のシャフト穴とシャフト受け部との間の第２のライ角と、
第１の構成が第１のロフト角を備える場合のシャフト穴とシャフト受け部との間の第２のロフト角と、の少なくとも一方を備える、特徴５に記載のゴルフ連結機構。
（特徴７）
第３の構成と、
第４の構成と、をさらに備え、
シャフトスリーブは、
スリーブ外壁から突出する第５の連結部であって、第５の連結部全体にわたって湾曲した第５の弓状面を備える第５の連結部と、
スリーブ外壁から突出する第６の連結部であって、第６の連結部全体にわたって湾曲した第６の弓状面を備える第６の連結部と、をさらに備え、
シャフト受け部は、
受け部内壁に凹設されており、第７の弓状面を備える第７の連結部と、
受け部内壁に凹設されており、第８の弓状面を備える第８の連結部と、をさらに備え、
第１の構成は、シャフトスリーブの第５の連結部が、シャフト受け部の第７の連結部に連結され、シャフトスリーブの第６の連結部が、シャフト受け部の第８の連結部に連結されることによって、第１のライ角と第１のロフト角とを備え、
第２の構成は、シャフトスリーブの第５の連結部が、シャフト受け部の第８の連結部に連結されることによって、シャフトスリーブの第６の連結部が、シャフト受け部の第７の連結部に連結されて、第２のライ角と第２のロフト角とを備え、
第３の構成は、シャフトスリーブの第１の連結部が、シャフト受け部の第８の連結部に連結され、シャフトスリーブの第２の連結部が、シャフト受け部の第７の連結部に連結され、シャフトスリーブの第５の連結部が、シャフト受け部の第３の連結部に連結され、シャフトスリーブの第６の連結部が、シャフト受け部の第４の連結部に連結されることによって、第３のライ角と第３のロフト角とを備え、
第４の構成は、シャフトスリーブの第１の連結部が、シャフト受け部の第７の連結部に連結され、シャフトスリーブの第２の連結部が、シャフト受け部の第８の連結部に連結され、シャフトスリーブの第５の連結部が、シャフト受け部の第４の連結部に連結され、シャフトスリーブの第６の連結部が、シャフト受け部の第３の連結部に連結されることによって、第４のライ角と第４のロフト角とを備える、特徴６に記載のゴルフ連結機構。
（特徴８）
第１のライ角は、第２のライ角に対して、小さいライ角を有し、
第１のロフト角は、第３及び第４のロフト角に対して、第１の中間ロフト角を有し、
第２のライ角は、第１のライ角に対して、大きいライ角を有し、
第２のロフト角は、第３及び第４のロフト角に対して、第２の中間ロフト角を有し、
第３のライ角は、第１及び第２のライ角に対して、第１の中間ライ角を有し、
第３のロフト角は、第４のロフト角に対して、小さいロフト角を有し、
第４のライ角は、第１及び第２のライ角に対して、第２の中間ライ角を有し、
第４のロフト角は、第３のロフト角に対して、大きいロフト角を有する、特徴７に記載のゴルフ連結機構。
（特徴９）
第１及び第２のロフト角は、互いに略等しく、
第３及び第４のライ角は、互いに略等しい、特徴７に記載のゴルフ連結機構。
（特徴１０）
第１のライ角は、第３のライ角よりも約０．２°〜４°小さく、
第２のライ角は、第４のライ角よりも約０．２°〜４°大きく、
第３のロフト角は、第１のロフト角よりも約０．２°〜４°小さく、
第４のロフト角は、第２のロフト角よりも約０．２°〜４°大きい、特徴７に記載のゴルフ連結機構。
（特徴１１）
互いに嵌った場合に、第１の弓状面の大部分と、第３の弓状面の大部分とは、第１の接触領域にわたって、反対方向の法線力を互いに作用し、
互いに嵌った場合に、第２の弓状面の大部分と、第４の弓状面の大部分とは、第２の接触領域にわたって、反対方向の法線力を互いに作用する、特徴５に記載のゴルフ連結機構。
（特徴１２）
第１及び第２の連結部は、スリーブ外壁の上部からスリーブ上端部に向かって突出しており、
第３及び第４の連結部は、受け部内壁の上部に凹設されている、特徴４に記載のゴルフ連結機構。
（特徴１３）
第１の連結部の第１の弓状面は、
第１の水平方向曲率半径と、
スリーブ底端部に向かって厚みが減少する第１の垂直方向テーパと、を有し、
第２の連結部の第２の弓状面は、
第２の水平方向曲率半径と、
スリーブ底端部に向かって厚みが減少する第２の垂直方向テーパと、を有し、
第３の連結部の第３の弓状面は、
第１の水平方向曲率半径に対して相補的な第３の水平方向曲率半径と、
第１の垂直方向テーパに対して相補的な第３の垂直方向テーパと、を有し、
第４の連結部の第４の弓状面は、
第２の水平方向曲率半径に対して相補的な第４の水平方向曲率半径と、
第２の垂直方向テーパに対して相補的な第４の垂直方向テーパと、を有する、特徴４に記載のゴルフ連結機構。
（特徴１４）
第１の垂直方向テーパは、第１の垂直方向曲率半径を有し、
第２の垂直方向テーパは、第２の垂直方向曲率半径を有し、
第３の垂直方向テーパは、第１の垂直方向曲率半径に対して相補的な第３の垂直方向曲率半径を有し、
第４の垂直方向テーパは、第２の垂直方向曲率半径に対して相補的な第４の垂直方向曲率半径を有し、
第１、第２、第３及び第４の水平方向曲率半径のそれぞれは、約２．５ｍｍ〜約５．７ｍｍであり、
第１、第２、第３及び第４の垂直方向曲率半径のそれぞれは、約１０．１ｍｍ〜約５０．８ｍｍである、特徴１３に記載のゴルフ連結機構。
（特徴１５）
第１、第２、第３及び第４の垂直方向テーパは、実質的に直線状である、特徴１３に記載のゴルフ連結機構。
（特徴１６）
シャフトスリーブが、シャフト受け部に固定されており、第１の連結部が第３の連結部に嵌っており、第２の連結部が第４の連結部に嵌っている場合に、
第１の連結部の全表面の大部分は、シャフトスリーブがシャフト受け部に対して回転することを妨げるように構成されており、
第２の連結部の全表面の大部分は、シャフトスリーブがシャフト受け部に対して回転することを妨げるように構成されている、特徴４に記載のゴルフ連結機構。
（特徴１７）
シャフトスリーブにシャフト受け部を固定するように構成されている固定留め具を、さらに備え、
固定留め具は、第１の弓状面を第３の弓状面に嵌め、第２の弓状面を第４の弓状面に嵌めるために、シャフト受け部の受け部底端部に向かって、シャフトスリーブを引き寄せるように構成される、特徴４に記載のゴルフ連結機構。
（特徴１８）
シャフトスリーブから外れる場合に、シャフト受け部から固定留め具が離脱することを抑制するように構成される保持要素を、さらに備え、
保持要素は、
シャフトレシーバ内に位置しており、固定留め具の１つ以上のねじに自在に係合されるワッシャと、
保持要素がシャフト受け部を貫通するねじ穴と、の少なくとも一方を備える、特徴１７に記載のゴルフ連結機構。
（特徴１９）
シャフトスリーブは、
スリーブ挿入部分が、シャフト受け部内にある場合、スリーブ上端部に位置し、シャフト受け部の外部に位置するスリーブ上部部分を、さらに備え、
シャフトスリーブが、シャフト受け部に固定される場合に、スリーブ上部部分の底端部は、第１及び第２の連結部によってシャフト受け部の上端部から離間する、特徴４に記載のゴルフ連結機構。
（特徴２０）
第１及び第２の弓状面は、屈曲点を有していない、特徴３に記載のゴルフ連結機構。
（特徴２１）
第１の連結部の第１の全面の任意の点に対する接線方向の任意の水平線は、第１の連結部の第１の全面の他の点に対する接線方向ではない、特徴３に記載のゴルフ連結機構。
（特徴２２）
第１の連結部の全面は、全体にわたって、及び全ての方向に湾曲している、特徴３に記載のゴルフ連結機構。
（特徴２３）
第１の連結部の全面は、第１の連結部の全表面領域の境界を示す第１の連結周縁部内の任意の一部に関してエッジがない、特徴３に記載のゴルフ連結機構。
（特徴２４）
第１の弓状面は、第１の放物面と第１の双曲面との少なくとも一方の一部を備える第１の二次曲面を備え、
第２の弓状面は、第２の放物面と第２の双曲面との少なくとも一方の一部を備える第２の二次曲面を備える、特徴３に記載のゴルフ連結機構。
（特徴２５）
第１の二次曲面は、第１の円錐面の一部を備え、
第２の二次曲面は、第２の円錐面の一部を備える、特徴２４に記載のゴルフ連結機構。
（特徴２６）
シャフト穴は、スリーブ軸と非同軸である、特徴３に記載のゴルフ連結機構。
（特徴２７）
ゴルフ連結機構を提供する方法であって、
ゴルフクラブシャフトの一端に連結するように構成されるシャフトスリーブを提供する工程を備え、
シャフトスリーブを提供する工程は、
シャフトスリーブのスリーブ上端部からスリーブ底端部まで、ゴルフクラブシャフトの長手方向中心線に沿って伸びるスリーブ軸を提供する工程と、
スリーブ軸を中心軸として心出しされたスリーブ外壁を提供する工程と、
スリーブ外壁から突出する第１の連結部を提供する工程と、
スリーブ外壁から突出する第２の連結部を提供する工程と、を備え、
第１の連結部を提供する工程は、
第１の連結部全体にわたって湾曲した第１の弓形面を提供する工程を備え、
第２の連結部を提供する工程は、
第２の連結部全体にわたって湾曲した第２の弓形面を提供する工程を備え、
第１及び第２の弓状面は、ゴルフクラブヘッドに対するシャフトスリーブの回転を制限するように構成される、方法。
（特徴２８）
シャフトスリーブを受け入れるように構成されるゴルフクラブヘッドのシャフト受け部を提供する工程を、さらに備え、
シャフトスリーブを提供する工程は、
少なくともスリーブ外壁と第１の連結部と第２の連結部との一部を備え、シャフト受け部に挿入されるように構成されるスリーブ挿入部分を提供する工程と、
シャフト受け部を提供する工程は、
スリーブ挿入部分がシャフト受け部内にある場合に、スリーブ外壁と接するように構成される受け部内壁を提供する工程と、
受け部内壁に凹設される第３の連結部を提供する工程と、
受け部内壁に凹設される第４の連結部を提供する工程と、を備え、
第３の連結部を提供する工程は、
第１の連結部の第１の弓形面の少なくとも一部に対して相補的な第３の弓形面を提供する工程を備え、
第４の連結部を提供する工程は、
第２の連結部の第２の弓形面の少なくとも一部に対して相補的な第４の弓形面を提供する工程を備える、特徴２７に記載の方法。